(57)【要約】      （修正有）【課題】点滴ルートの例えば略中央近傍部を身体または点滴支柱などの一定部に確実に保持して柔らかく固定できる部材であって、点滴治療中の患者の不安や不都合による負担を解消して、より快適な点滴治療を受けることができるようにすること。【解決手段】折り曲げることが可能な可撓性材料で構成された長方形板状のホルダ本体２とホルダ本体２の一方の端部に連結されたクリップ６とホルダ本体２のもう一方の端部に敷設した第１の連結部３とホルダ本体２の中央部近傍に敷設した第２の連結部４とホルダ本体２の第１の連結部３と第２の連結部４との間に長方向に設けたホルダ本体２の切込み線７とを具備するホルダ１であってホルダ本体２の切込み部近傍を折り曲げて第１の連結部３と第２の連結部４を連結させることにより切込み部７及び折り曲げ部が線状コードを挟み込み保持することに特徴を有する。【選択図】図１
2019208877.tif 000002
【特許請求の範囲】
【請求項１】
折り曲げることが可能な可撓性材料で構成された長方形板状のホルダ本体と、
前記ホルダ本体の一方の端部に連結されたクリップと、
前記ホルダ本体のもう一方の端部に敷設した第１の連結部と、
前記ホルダ本体の中央部近傍に敷設した第２の連結部と、
前記ホルダ本体の前記第１の連結部と前記第２の連結部との間に長方向に設けた前記ホルダ本体の切込み線と
を具備するホルダであって、
前記ホルダ本体の前記切込み部近傍を折り曲げて前記第１の連結部と前記第２の連結部を連結させることにより前記切込み部及び折り曲げ部が線状コードを挟み込み保持することに特徴を有するルートホルダ。
【請求項２】
前記ホルダ本体が皮革で構成されており、
前記クリップがばねクリップであり、
前記第１の連結部と前記第２の連結部が互いに連結できるホックの凸部又は凹部であり、
前記線状コードが点滴ルートであること
に特徴を有する請求項１に記載のルートホルダ。
【発明の詳細な説明】
【技術分野】
【０００１】
本発明は、病院での患者が受ける点滴治療における点滴ルートの簡易固定の際の、ホルダの形態に関する。
【背景技術】
【０００２】
病院などの入院中は、病気治療のために様々な薬剤又は栄養剤の点滴治療を受けることが多い。これらの点滴治療は、点滴薬剤パックをローラ付き支柱の高所に吊り下げ、点滴薬剤パックから延びた長い点滴液注入管コードを経由して患者の腕等に刺された注射針で患者の体内に薬剤を供給することによって成される。この点滴治療は相当に長い時間をかけて少しずつ薬剤を体内に供給することによってなされる。
【０００３】
上記点滴治療は相当に長い時間を要するため、患者によっては点滴治療中にベッドで食事や着替え、読書、あるいはテレビ等を見る等の様々な行為を行うことが多い。また、患者によっては点滴治療中においてもトイレへの歩行や入浴などを行わなければならないこともある。
【０００４】
このような点滴治療中のあらゆる行動において、例えば腕の注射針から支柱の高所に吊り下げられた点滴薬剤パックに連結された長い点滴液注入管コードがじゃまになることが多い。以降、この長い点滴液注入管コードを「点滴ルート」又は「ルート」と称する。
【０００５】
例えば誤って食事の途中や着替えの途中にこの点滴ルートを他の物に引っ掛けてしまうと点滴ルートが切断してしまったり点滴注射針が抜けてしまったりして事故になることも多い。また点滴治療中にトイレ等に行く場合などは、ローラ付き点滴支柱を押しながら身体に並走させて患者は移動することになる。このような場合は、点滴ルートが長いため床面に付いてしまったり、歩行中の他の物品に引っ掛かってしまったりすることも多い。
【０００６】
上記のような点滴ルートの引っ掛かり事故を防ぐため、患者は点滴ルートの行方を絶えず注意していなければならない。よって患者にとっては非常に不安でもあり、絶えず点滴ルートの行方を気にして注意していなければならないという負担も大きい。
【０００７】
本発明はこのような点滴ルートの行方の不断の注意や不安を取り除くために考案されたものである。このように長い点滴ルートの一部分でも身体の一部に保持して、点滴ルートの無駄な長さを適時調整することができれば、このような注意や不安を解消することができる。
【０００８】
例えば、特許文献１（特開平7-299139号広報）には、可撓性を有する材料から上部部材と下部部材とに折曲したようなクリップ 状に形成されてなる係止具本体と、該係止具本体の折曲部に連設した注入排出管把握部とを具備し、前記上部部材を前記下部部材に衣服等を介して弾性当接する弾性部材と、起倒自在に形成した圧接部材とから構成し、該圧接部材の先端に形成した突片を、前記弾性部材先端側部に連設したストッパ−の凸部に着脱自在に係止し得るようにし、前記注入排出管把握部は、一端が開口した略リング状に形成し、該開口部の上端を前記係止具本体の折曲部に形成した突片に着脱自在に係止させて略リング状の注入排出管把握部を形成するように構成されている点滴ルートホルダーが記載されている。
【０００９】
しかし、特許文献１はプラスチック製を前提に、点滴ルートを保持する特定構造を主張しており、ルート部（コード）をずれないように固定することが目的である。これは、コードが物品に引っ掛かったときなど、遊びがなくコードがズレないため、かえって危険である。また、イヤホンコードなど他のコードを同時に保持し固定することができない。加えて製造に金型が必要となり高価となってしまう欠点がある。
【００１０】
特許文献２には、略Ｕ字形をなすことによって形成される挟み込み部へ薄物たる被クリップ体を挟み込み可能なクリップ本体と、そのクリップ本体の開口側が弧を描くように回動可能および回動停止可能であるように固定するクリップ固定体を備えたクリップ構造とする。クリップ本体およびクリップ固定体には、何れか一方にギヤ部を、他方に前記ギヤ部と噛み合う噛み合い部を設けることによって回動および回動停止を達成するクリップ構造が記載されている。
【００１１】
上記文献２は、構成が本発明に似ているが、課題が筆記具の固定であり、解決する課題が相違している。また上記特許文献１において記載した欠点を同様に包含している別発明である。
【００１２】
このように、以上の先行技術文献には、点滴ルートの引っ掛かり事故を防ぐため、患者は点滴ルートの行方を絶えず注意していなければならないという負担を解消するような技術の開示はなく、すでに記載したような根本的な解決策を提示したことにはなっていないし言及もされていない。
【先行技術文献】
【特許文献】
【００１３】
【特許文献１】特開平７−２９９１３９公報
【特許文献２】特許第３９３３４６１号
【発明の概要】
【発明が解決しようとする課題】
【００１４】
上述したように、点滴治療における点滴ルートは長いため、患者は点滴ルートの他の物品等への引っ掛かり事故を防ぐため、点滴ルートの行方を絶えず注意していなければならない。この長い点滴ルートの例えば略中央近傍部を身体または点滴支柱などの一定部に確実に保持して柔らかく固定できる部材があれば、患者は安心して点滴治療を受けることができる。長い点滴ルートの一部分でも身体の一部に保持して、点滴ルートの無駄な長さを適時調整することができれば、このような注意や不安を解消することができる。また、万が一点滴ルートが物品に引っ掛かった際も、適度にコードがズレるというような遊び（柔らかな保持）が必要である。
【００１５】
このような点滴治療中の患者の不安や不都合による負担を解消して、より快適な点滴治療を受けることができるようにすることが本発明の課題である。
【課題を解決するための手段】
【００１６】
上記のような点滴治療中の患者の不安や不都合による負担を解消して、より快適な点滴治療を受けることができるようにすることを企図して本発明は考案された。
【００１７】
かかる課題を解決するため、本発明に係るルートホルダは、折り曲げることが可能な可撓性材料で構成された長方形板状のホルダ本体と、前記ホルダ本体の一方の端部に連結されたクリップと、前記ホルダ本体のもう一方の端部に敷設した第１の連結部と、前記ホルダ本体の中央部近傍に敷設した第２の連結部と、前記ホルダ本体の前記第１の連結部と前記第２の連結部との間に長方向に設けた前記ホルダ本体の切込み線とを具備するホルダであって、前記ホルダ本体の前記切込み部近傍を折り曲げて前記第１の連結部と前記第２の連結部を連結させることにより前記切込み部及び折り曲げ部が線状コードを挟み込み保持することに特徴を有する。
【００１８】
また本発明に係るルートホルダは、前記ホルダ本体が皮革で構成されており、前記クリップがばねクリップであり、前記第１の連結部と前記第２の連結部が互いに連結できるホックの凸部又は凹部であり、前記線状コードが点滴ルートであることにも特徴を有する形態をとることもできる。（以降、ホルダとは掛かり止め具と同意である。）
【００１９】
つまり本発明に係るルートホルダは、点滴ルート及びそのようなコードを、ルートホルダの折り曲げ部から折り曲げた間に挟み、又は切込み部に貫通させて、柔らかく保持することができる。つまりルートホルダ本体は柔らかく細長い板シート状の可撓性部材から成る。軟質プラスティックであってもよく、また皮革であってもよい。点滴ルート又はコードは強固に保持されていないため、折り曲げ部から比較的に容易にズレることによって移動することができる。つまり遊び余裕があるため、急激なルートの引っ掛かりに対して切れることがなく安全である。
【００２０】
本発明に係るルートホルダの第１の連結部と第２の連結部は、互いに凹部凸部を有するホックのような連結部であってよい。連結部は、簡易に連結させることができ、同様に簡易に取り外すことができる。例えばマジックテープ（商標）であってもよい。第１の連結部と第２の連結部の連結によってできたルートホルダ本体の重ね合わせの間に点滴ルート又はコードは挟まれて保持される。
【００２１】
また、点滴ルート又はコードは、ルートホルダ本体の切込み部を貫通させて保持してもよい。切込み部の数は限定するものではない。数種の点滴ルート又はコードを同時に保持することもできる。
【００２２】
クリップは、ばね状のクリップであってもよく、簡易に衣服などの端部にクリップ止めし固定することができる。パジャマの胸ポケットや襟袖などに簡単に固定保持することができる。また点滴支柱などにも固定保持させることができる。
【００２３】
よって、本発明に係るルートホルダは、長い点滴ルートの例えば略中央近傍部を身体の衣服または点滴支柱などの一定部に確実に保持して柔らかく固定できる。患者は安心して点滴治療を受けることができる。長い点滴ルートの一部分でも身体の一部に保持して、点滴ルートの無駄な長さを適時調整することができるため、点滴ルートなどが不意に物品に引っ掛かるようなことに対する注意や不安を解消することができる。万が一点滴ルートが物品に引っ掛かった際も、点滴ルート又はコードが適度にズレるというような遊び（柔らかな保持）があるため安全である。
【００２４】
本発明に係るルートホルダは、本体の表側に絵などを描いたり、着色したり模様を作ったりすることもできるため、美観もよくファッション性を備えることもできる。金型による定型プラスティックと異なるため製造に高価な金型を必要としない。つまり形状を限定するものではない。
【００２５】
本発明に係るルートホルダは、点滴ルート又はイヤホンコードなどの長いコードの一部分を任意に安全な位置で保持することができ、且つ突如の引っ張り力に対して柔らかなストッパー機能を有するため、点滴ルート切断などの事故を防止することができるホルダの技術思想であり、従来技術を用いた類似技術思想及び均等方法は全て本発明の技術思想に内包されるものである。
【発明の効果】
【００２６】
本発明によれば、点滴治療中に長い点滴ルートの不要部を衣服などに連結し柔らかく保持することができる。点滴治療中の点滴ルートの引っ掛かりや切断に対する患者の不安や不都合による負担を解消して、より快適な点滴治療を受けることができる。
【００２７】
本発明によれば、ルートホルダの表面などに色彩や模様も施すことができる。安全で、軽く、使い勝手のよいファッション性豊かな、そしてコストパフォーマンスのよいルートホルダを提供することができる。
【図面の簡単な説明】
【００２８】
【図１】本発明の一実施形態に係るルートホルダの展開状態の裏面のイメージを示した斜視概念図である。
【図２】本発明の一実施形態に係るルートホルダの折り曲げ状態の側面のイメージを示した斜視概念図である。
【図３】本発明の一実施形態に係るルートホルダの折り曲げ状態の裏面のイメージを示した斜視概念図である。
【図４】本発明の一実施形態に係るルートホルダの折り曲げ状態の表面のイメージを示した斜視概念図である。
【発明を実施するための形態】
【００２９】
以下、図面を参照して本発明を実施するための形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００３０】
図１は、本発明の一実施形態に係るルートホルダの展開状態の裏面のイメージを示した斜視概念図である。同図に示すように、本発明の一実施形態に係るルートホルダは、細長い板状態のホルダ本体２によって略全体が構成されている。図１は裏面を示している。ホルダ本体２の上端部にはクリップ部６、ホルダ本体２の下端部近傍には第１の連結部３、ホルダ本体２の上端部近傍には第２の連結部４、ホルダ本体２の略中央部には折り曲げ部５と切込み部７が形成されている。
【００３１】
図１に示すように、本発明の一実施形態に係るルートホルダは、ホルダ本体２を折り曲げ部５で折り曲げて、第１の連結部３と第２の連結部を連結させることができる。第１の連結部３と第２の連結部４との連結方法は、ホック止めであってもよいしマジックテープ（登録商標）止めであってもよい。連結方法を限定するものではない。
【００３２】
第１の連結部３と第２の連結部４との連結によって、その間の折り曲げ部５に点滴ルートなどコードが貫通されて柔らかく保持される。また、切込み部５の切込み穴部に点滴ルートなどコードが貫通されて保持されてもよい。
【００３３】
クリップ部６は、衣服の襟やポケット部の渕、または袖などに固定するためのクリップである。クリップ部６は名称をクリップとしたが、クリップに限定せず、衣服の襟やポケット部の渕、または袖などに固定することができる部品であってよい。例えば、ホック、ボタン、掛かり止め固定具であってよい。
【００３４】
図１に示すように、本発明の一実施形態に係るルートホルダのホルダ本体２の長さや幅、厚さは限定しないが、好ましくは長さは略５ｃｍから略１５ｃｍ、幅は略１ｃｍから略４ｃｍ、厚さは略０．１ｍｍから略３ｍｍくらいがよい。またホルダ本体２は、可撓性のある皮革材、柔らかな樹脂、布などであってよい。好ましくは皮革であれば、点滴ルートを程よく保持固定し、皮革表面の摩擦力で引っ張りズレに対して程よいストッパー機能をも果たすことができる。
【００３５】
図２は、本発明の一実施形態に係るルートホルダの折り曲げ状態の側面のイメージを示した斜視概念図である。同図に示すように、本発明の一実施形態に係るルートホルダを折り曲げ部５で折り曲げて、第１の連結部３と第２の連結部４とを連結させると、下部の折り曲げ部５にコード等が貫通できる環状部が構成される。
【００３６】
この環状部に、点滴ルートやコードは貫通して柔らかに保持される。切込み部７に貫通させて固定保持してもよい。また切込み部７は一本に限定するものではない。クリップ部６はホルダ本体２との固定において回転可能であれば、あらゆる方向に対してルートホルダ１を固定保持することができる。
【００３７】
図３は、本発明の一実施形態に係るルートホルダの折り曲げ状態の裏面のイメージを示した斜視概念図である。同図に示すように、ホルダ本体２の下部分は、裏側に向かって折り曲げ部５を折り曲げるため、ホルダ本体２の下部分はルートホルダ１の裏側に隠される形態となる。しかし本発明に係るルートホルダの折り曲げ方向は限定するものではない。表側に折り曲げてもよいし、また例えば、ホルダ本体２が薄く細長い形態であれば、横側に折り曲げて形成することもできる。
【００３８】
図４は、本発明の一実施形態に係るルートホルダの折り曲げ状態の表面のイメージを示した斜視概念図である。同図に示すように、本発明の一実施形態に係るルートホルダの折り曲げ後の表側はホルダ本体２が平面上に一様に表される。よって、図４に示すように図柄や模様、色などを施すことができるため、美観もよくファッション性を備えることもできる。
【００３９】
また、ホルダ本体２の色、形状などの選択により、好みにあったルートホルダを形成することができる。入院治療時であってもファッション性を重要視する女性には最適である。
【００４０】
なお、本発明は上述した実施形態に限定されるものではなく、本発明の主旨を逸脱しない範囲内で種々変更して実施することが可能である。これらはすべて、本技術思想の一部である。
【００４１】
本発明に係るルートホルダは、ホルダ本体２や第１及び第２の連結部、クリップ部の形状・大きさ等を限定するものではない。ホルダ本体を折り曲げて点滴ルートなどコードを柔らかく保持固定し、長いコードのたるみ部分の引っ掛かりに対する安全性を確保するための技術思想であり、従来技術を用いた均等方法は全て本発明の技術思想に内包されるものである。
【産業上の利用可能性】
【００４２】
上述したように、本願に係る発明によれば、点滴ルートの長い余分な部分を身体等の一部に柔らかく保持固定することができるため、点滴治療中の点滴ルートの引っ掛かりや切断に対する患者の不安や不都合による負担を解消して、より快適な点滴治療を受けることができる。
【００４３】
本発明は、点滴ルートの保持固定のみならずイヤホンコードなどにも利用・適用可能である。本願は、各種産業に対しても有益性をもたらすものである。
【符号の説明】
【００４４】
１  ルートホルダ
２  ホルダ本体
３  第１の連結部
４  第２の連結部
５  折り曲げ部
６  クリップ部
７  切込み部
【図１】
2019208877.tif 000003
【図２】
2019208877.tif 000004
【図３】
2019208877.tif 000005
【図４】
2019208877.tif 000006